(57)【特許請求の範囲】
【請求項１】
容器に液体を注入する液体充填装置の液体充填ノズル装置であって、
充填液供給口から連なって内部が充填液の通路となる内筒と、内筒の底部下部に形成された開閉弁と、内筒に液密に上下方向に摺動可能に外嵌された外筒と、外筒の下端部に形成された先端ノズル内にある吐出孔とで、構成され、
前記内筒の底部に前記内筒の充填液が前記外筒内部下部に供給する孔部を備え、
前記外筒を前記内筒に対して支えるスプリングを備え、
前記スプリングは前記外筒内部下部に入る充填液の流動圧力をかけると内筒に対して外筒を下降させて前記開閉弁から前記吐出孔上部が離反して前記吐出孔を開口させ、前記外筒下部内部に入る充填液の流動圧力が無ければ前記内筒に対して前記外筒は上昇し前記開閉弁が吐出孔上部に当接して前記吐出孔を閉鎖するものであることを特徴とする液体充填ノズル装置。
【発明の詳細な説明】
【技術分野】
【０００１】
本発明は、液体充填機用の液体充填ノズル装置に関するものである。
【背景技術】
【０００２】
従来、液体等の内容物を容器の開口部から充填する充填バルブおよびそのノズルは充填装置等に多く用いられ、また、多く提案されている。
【０００３】
前記充填装置に用いられる充填バルブは通常、シリンダーとピストンを有し、ピストンはシリンダー内を自在に摺動し、ピストンが上がった時には充填物がシリンダー側面の入口からノズルを通じて容器の開口部に注入される。
【０００４】
図３に従来の液体充填ノズル装置２００の概略断面図を示す。下端部に先端ノズル４１と上側部に充填液供給口４２を備えた外筒４３と、外筒４３内に装着されかつ外筒４３の上部に取り付けたアクチュエータ（図示せず）のプランジャーロッド４５に接続され、上下方向に移動可能な可動シャフト４６と、可動シャフト４６の下端部に取り付けられ、可動シャフト４６の上下動により先端ノズル４１内部の吐出孔５０を開口もしくは閉鎖する開閉弁４８と、を備えている。可動シャフト４６の上動により開閉弁４８が先端ノズル４１の上部に空間をつくり、先端ノズル４１内部の吐出孔５０は開口され、充填液供給口４２から流入された充填液ａが先端ノズル４１内の吐出孔５０を通って充填される。また、可動シャフト４６が下動し開閉弁４８が先端ノズル４１の上部を押圧すると、先端ノズル４１内部の吐出孔５０は閉鎖され、充填液ａは先端ノズル４１内の吐出孔５０を通ることができずに充填されない。
【先行技術文献】
【特許文献】
【０００５】
【特許文献１】特開平９−２０７９１４号公報
【発明の概要】
【発明が解決しようとする課題】
【０００６】
しかしながら、上記の充填ノズル装置は構造が複雑でコストがかかってしまう。例えばアクチュエータとしてエアーシリンダーを採用した場合、エアーや電気のユーティリティが必要になる。本発明は、上記のような従来技術の課題を解決しようとするものであり、構造が簡単で安価な液体充填機用の液体充填ノズル装置を提供することを目的とする。
【課題を解決するための手段】
【０００７】
本発明の請求項１に係る発明は、容器に液体を注入する液体充填装置の液体充填ノズル装置であって、
充填液供給口から連なって内部が充填液の通路となる内筒と、内筒の底部下部に形成された開閉弁と、内筒に液密に上下方向に摺動可能に外嵌された外筒と、外筒の下端部に形成された先端ノズル内にある吐出孔とで、構成され、
前記内筒の底部に前記内筒の充填液が前記外筒内部下部に供給する孔部を備え、
前記外筒を前記内筒に対して支えるスプリングを備え、
前記スプリングは前記外筒内部下部に入る充填液の流動圧力をかけると内筒に対して外筒を下降させて前記開閉弁から前記吐出孔上部が離反して前記吐出孔を開口させ、前記外筒下部内部に入る充填液の流動圧力が無ければ前記内筒に対して前記外筒は上昇し前記開閉弁が吐出孔上部に当接して前記吐出孔を閉鎖するものであることを特徴とする液体充填ノズル装置である。
【発明の効果】
【０００８】
構造が簡単で安価な液体充填機用の液体充填ノズル装置を提供できる。
【図面の簡単な説明】
【０００９】
【図１】本発明の液体充填ノズル装置の構造を示す概略断面図である。（ａ）は充填開始前の動作図であり、（ｂ）は充填時の動作図である。
【図２】本発明の液体充填ノズル装置の構造を示す概略断面図である。（ａ）は充填開始前の動作図であり、（ｂ）は充填時の動作図である。
【図３】従来の液体充填ノズル装置の概略断面図である。（ａ）は充填開始前の動作図であり、（ｂ）は充填時の動作図である。
【発明を実施するための形態】
【００１０】
以下、本発明を実施するための形態につき説明する。
【００１１】
図１は本発明の液体充填ノズル装置の構造を示す概略断面図である。（ａ）は充填開始前の動作図であり、（ｂ）は充填時の動作図である。
【００１２】
図１は本発明の別形態での液体充填ノズル装置の構造を示す概略断面図である。（ａ）は充填開始前の動作図であり、（ｂ）は充填時の動作図である。
【００１３】
容器に液体を注入する液体充填装置の液体充填ノズル装置１００は、充填液供給口２から連なって内部が充填液の通路となる内筒３と、内筒３の底部下部に形成された開閉弁８と、内筒３に液密に上下方向に摺動可能に外嵌された外筒４と、外筒４の下端部に形成された先端ノズル１内にある吐出孔１０とから構成される。
【００１４】
外筒４を内筒３に液密に上下方向に摺動可能に外嵌するために、内筒３下端部近くの外壁にＯリングなどのシール２０を設ける。
【００１５】
また、内筒３の底部に内筒３の充填液ａが外筒４内部下部に供給する孔部１５を備える。
【００１６】
また、外筒４を内筒３に対して支えるスプリング９を備える。外筒４の上端部に連なったシャフト１１が内筒３と一体になった板１２に貫通して設けられている。シャフト１１の上端部には、シャフト１１が板１２から抜けないように抜け止めであるねじ１３が敷設されている。ねじ１３と板１２との間に、シャフトを外嵌する状態でスプリング９が設けられる。
【００１７】
スプリング９は、充填停止時に、内筒３に対して外筒が上に上昇し、内筒３に接続された開閉弁８が吐出孔１０上部に当接して吐出孔１０を閉鎖したときの、外筒の上下位置で、伸縮がない状態になるよう設置する。
【００１８】
ねじ１３は、シャフト上端部に固定する座金でもよい。その場合、その座金と板１２との間に、シャフトを外嵌する状態でスプリングが設けられる。
【００１９】
充填液供給口２には、充填液ａを供給し、充填液供給口２に流入する充填液ａに流動圧力を加えない、加えることを選択的に行える充填液圧送部（不図示）が接続されている。
【００２０】
充填液圧送部から供給された充填液ａは充填液供給口２を通り、内筒３の内部を通り、内筒３の底部にある孔部１５より、外筒４下部内部に入る。
（充填開始前）
充填を開始する前、充填液供給口２から流入した充填液ａは、内筒３の内部を通路とし
、内筒３の底部にある孔部１５より、内筒３に流入した充填液が外筒４内部下部に供給される。充填液供給口２から流入する充填液ａに流動圧力を加えなく、したがって外筒４下部内部に入る充填液ａの流動圧力が無ければ、内筒３に接続された開閉弁８が吐出孔１０上部に当接して吐出孔１０を閉鎖し、充填は行われない。
（充填動作）
充填液供給口２から流入する充填液ａに流動圧力を加え外筒４内部下部に入る充填液ａの流動圧力をかけると、内筒３に対して外筒４を下方に向かわせる力が働き内筒３に対して外筒４が下降し、スプリング９は縮み、開閉弁８が吐出孔１０上部から離反して吐出孔１０を開口し、充填液ａの被充填容器３０への充填が行われる。
（充填停止）
さらに、充填停止を行おうとすれば、充填開始前と同じように、充填液供給口２から流入した充填液ａの流動圧力をなくせば、スプリング９のもとの長さに戻ろうとする力により、内筒３に対して外筒４は上に向かう力が働き、開閉弁８が吐出孔１０上部に当接して吐出孔１０を閉鎖し、充填は行われない。
【００２１】
このように充填液圧送部によって充填液供給口２から流入した充填液ａに流動圧力を加えないか、加えるかを行い、吐出・非吐出を制御できる充填制御機構を有する。
【００２２】
次に、本発明を実施するための別の形態につき説明する。
【００２３】
図２は本発明の液体充填ノズル装置の構造を示す概略断面図である。（ａ）は充填開始前の動作図であり、（ｂ）は充填時の動作図である。
【００２４】
容器に液体を注入する液体充填装置の液体充填ノズル装置１００は、充填液供給口２から連なって内部が充填液の通路となる内筒３と、内筒３の底部下部に形成された開閉弁８と、内筒３に液密に上下方向に摺動可能に外嵌された外筒４と、外筒４の下端部に形成された先端ノズル１内にある吐出孔１０とから構成される。
【００２５】
外筒４を内筒３に液密に上下方向に摺動可能に外嵌するために、内筒３下端部近くの外壁にＯリングなどのシール２０を設ける。
【００２６】
また、内筒３の底部に内筒３の充填液ａが外筒４内部下部に供給する孔部１５を備える。
【００２７】
また、外筒４を内筒３に対して支えるスプリング９を備える。外筒４の上端部に連なったシャフト１１が内筒３と一体になった板１２に貫通して設けられている。シャフト１１の上端部には、シャフト１１が板１２から抜けないように抜け止めであるねじ１３が敷設されている。板１２と外筒４の上端部との間に、シャフトを外嵌する状態でスプリング９が設けられる。
【００２８】
スプリング９は、充填停止時に、内筒３に対して外筒が上に上昇し、内筒３に接続された開閉弁８が吐出孔１０上部に当接して吐出孔１０を閉鎖したときの、外筒の上下位置で、伸縮がない状態になるよう設置する。
【００２９】
ねじ１３は、シャフト上端部に固定する座金でもよい。
【００３０】
充填液供給口２には、充填液ａを供給し、充填液供給口２に流入する充填液ａに流動圧力を加えない、加えることを選択的に行える充填液圧送部（不図示）が接続されている。
【００３１】
充填液圧送部から供給された充填液ａは充填液供給口２を通り、内筒３の内部を通り、
内筒３の底部にある孔部１５より、外筒４下部内部に入る。
（充填開始前）
充填を開始する前、充填液供給口２から流入した充填液ａは、内筒３の内部を通路とし、内筒３の底部にある孔部１５より、内筒３に流入した充填液が外筒４内部下部に供給される。充填液供給口２から流入する充填液ａに流動圧力を加えなく、したがって外筒４下部内部に入る充填液ａの流動圧力が無ければ、内筒３に接続された開閉弁８が吐出孔１０上部に当接して吐出孔１０を閉鎖し、充填は行われない。
（充填動作）
充填液供給口２から流入する充填液ａに流動圧力を加え外筒４内部下部に入る充填液ａの流動圧力をかけると、内筒３に対して外筒４を下方に向かわせる力が働き内筒３に対して外筒４が下降し、スプリング９は伸び、開閉弁８が吐出孔１０上部から離反して吐出孔１０を開口し、充填液ａの被充填容器３０への充填が行われる。
（充填停止）
さらに、充填停止を行おうとすれば、充填開始前と同じように、充填液供給口２から流入した充填液ａの流動圧力をなくせば、スプリング９のもとの長さに戻ろうとする力により、内筒３に対して外筒４は上に向かう力が働き、開閉弁８が吐出孔１０上部に当接して吐出孔１０を閉鎖し、充填は行われない。
【００３２】
このように充填液圧送部によって充填液供給口２から流入した充填液ａに流動圧力を加えないか、加えるかを行い、吐出・非吐出を制御できる充填制御機構を有する。
【００３３】
本発明の液体充填ノズル装置により、構造が簡単で安価な液体充填ができるようになった。
【００３４】
従来の充填ノズル装置において、アクチュエータとしてエアーシリンダーを採用した場合、エアーや電気のユーティリティが必要であったが、本発明の液体充填ノズル装置では不要である。
【００３５】
また、構造が簡単であるため、装置の設置時の組み付けや、メインテナンス時の分解時において、処置が簡便である。
【００３６】
また、充填時、先端ノズルが下降するので、被充填容器に先端ノズルを近づけることが可能なため、液の飛散を抑制し、充填効率を向上することができる。
【符号の説明】
【００３７】
１・・・先端ノズル
２・・・充填液供給口
３・・・内筒
４・・・外筒
８・・・開閉弁
９・・・スプリング
１０・・・吐出孔
１１・・・シャフト
１２・・・板
１３・・・ねじ
１５・・・孔部
２０・・・シール
３０・・・被充填容器
４１・・・先端ノズル
４２・・・充填液供給口
４３・・・外筒
４５・・・プランジャーロッド
４６・・・可動シャフト
４８・・・開閉弁
５０・・・吐出孔
ａ・・・充填液
１００・・・液体充填ノズル装置
２００・・・液体充填ノズル装置
【図１】
0006772516.tif 000002
【図２】
0006772516.tif 000003
【図３】
0006772516.tif 000004